(57)【特許請求の範囲】
【請求項１】
モータにより回転駆動されるターンテーブルとディスクホルダとの間に、ディスクを前記ターンテーブルに接触した状態で挟持するディスクのクランプ装置において、
前記ディスクホルダが、前記ディスクに対向する面として平坦面を有し前記ディスクとほぼ同径で前記ディスクよりも重くかつ硬い保持体と、前記保持体に取り付けられて前記ディスクとの接触時に前記ディスクと前記保持体との間に密閉空間を形成する可撓性を有する閉塞部材と、前記密閉空間を負圧にする調整手段とを備え、
前記調整手段が、前記保持体に形成され一方端が前記密閉空間の内側に連通し他方端が保持体の上面側中心で開口して前記密閉空間の外側に連通した連通路と、前記連通路の他方端を開閉可能な蓋部材とを備え、
前記蓋部材が、前記連通路の他方端に連通して保持体の中央部に設けられた収納部に収納され、かつ、脱気又は送気用の貫通路を有する針状体の挿入により前記他方端を開放するように圧迫されて収縮することによってその針状体の前記貫通路を前記連通路に連通させ、前記針状体の抜き出しにより前記他方端を閉塞するように膨張する可撓性を有するゴムでなることを特徴とするディスクのクランプ装置。
【発明の詳細な説明】
【０００１】
【発明の属する技術分野】
この発明は、モータにより回転駆動されるターンテーブルに、ＣＤ、ＣＤ−ＲＯＭ等のディスクを接触した状態で挟持するディスクのクランプ装置に関する。
【０００２】
【従来の技術】
ＣＤ、ＣＤ−ＲＯＭやＣＤ−Ｒ等のディスクの再生、記録を行う装置には、これらディスクをターンテーブルに接触した状態にクランプするクランプ装置が設けられている。この種のクランプ装置は、ターンテーブルとディスクホルダとを磁力の作用によって互いに吸引し、ターンテーブルとディスクホルダとの間にディスクを挟持するようにした構成が一般的である。
【０００３】
最近では、このようなクランプ装置を変形した種々のものが提案されている。具体的には特開平７−１８２７５４号公報に記載のように、各種の規格のディスク上媒体に対して１つのクランプ装置を共用化するために、ディスクテーブル本体に内輪部と外輪部を設け、センターリングにマグネットを配したものや、特開平１０−１２５０２８号公報に記載のように、ディスク装置の薄型化を図るために、磁性体から成るアダプタに、ディスクの中心穴に係合するフックと、ディスクの中心穴周縁部に面する平板部を備え、ターンテーブルセンタにアダプタを吸着するマグネットを設けたものや、特開２００１−１４７６４号公報に記載のように、ディスクの形状やサイズに関係なくディスクをクランプするために、ターンテーブルヘッドに真空引き、ガスパージ用の溝、及び穴を円周半径毎に独立で設け、ターンテーブルの内部に各穴を集約し、それらを独立して塞ぐための軸を設けたもの等がある。
【０００４】
【発明が解決しようとする課題】
ところが、実際には、ディスクの面ぶれに加え、特にディスクの回転速度の高速化が求められる今日では、ディスクの重心の微少な偏りつまり偏重心等が原因で、ずれが大きくなる方向に加算された場合には、ディスクを安定して回転することができなくなってトラッキングエラーやフォーカスエラーの増大を招き、安定した記録再生を実現できなくなる。
【０００５】
しかしながら、上記した各公報に記載のクランプ装置は、このようなディスクの面ぶれや偏重心による悪影響を抑制することを目的としたものでないため、各公報に記載のクランプ装置では、安定したディスクの記録再生を行うことができないという問題点があった。
【０００６】
そこで、本発明は、ディスクの面ぶれや偏重心による悪影響を抑制できるようにしたクランプ装置を提供することを目的とする。
【０００７】
【課題を解決するための手段】
上記した目的を達成するために、本発明は、モータにより回転駆動されるターンテーブルとディスクホルダとの間に、ディスクを前記ターンテーブルに接触した状態で挟持するディスクのクランプ装置において、前記ディスクホルダが、前記ディスクに対向する面として平坦面を有し前記ディスクとほぼ同径で前記ディスクよりも重くかつ硬い保持体と、前記保持体に取り付けられて前記ディスクとの接触時に前記ディスクと前記保持体との間に密閉空間を形成する可撓性を有する閉塞部材と、前記密閉空間を負圧にする調整手段とを備え、前記調整手段が、前記保持体に形成され一方端が前記密閉空間の内側に連通し他方端が保持体の上面側中心で開口して前記密閉空間の外側に連通した連通路と、前記連通路の他方端を開閉可能な蓋部材とを備え、前記蓋部材が、前記連通路の他方端に連通して保持体の中央部に設けられた収納部に収納され、かつ、脱気又は送気用の貫通路を有する針状体の挿入により前記他方端を開放するように圧迫されて収縮することによってその針状体の前記貫通路を前記連通路に連通させ、前記針状体の抜き出しにより前記他方端を閉塞するように膨張移動する可撓性を有するゴムでなることを特徴としている。
【０００８】
このような構成によれば、針状体を挿入することにより、蓋部材によって連通路の他方端を開放したときに、密閉空間が負圧に調整され、平坦面を有しディスクとほぼ同径でディスクよりも重くかつ硬い保持体が、ディスクに密着されてこの密着状態が維持され、保持体がディスクと共にターンテーブルと一体的に回転する。
【０００９】
そのため、重くて硬い保持体とディスクが一体化されることになり、保持体の平坦面に密着させることで面ぶれを抑制し、保持体の均一な質量で偏重心を抑制することができ、安定したディスクの記録再生を実現できる。
【００１０】
また、平坦面を有しディスクとほぼ同径でディスクよりも重くかつ硬い保持体が、密着手段によりディスクに密着されてこの密着状態が維持され、保持体がディスクと共にターンテーブルと一体的に回転する。
【００１１】
そのため、重くて硬い保持体とディスクが一体化されることになり、保持体の平坦面に密着させることで面ぶれを抑制し、保持体の均一な質量で偏重心を抑制することができる。ここで、保持体の材料として、例えば金属、樹脂或いはセラミックを使用することができる。
【００１２】
また、調整手段により密閉空間を負圧にするため、保持体をディスクに容易に密着させることができる。
【００１３】
また、蓋部材により連通路の他方端を開閉できるため、蓋部材により連通路の他方端を開放したときに密閉空間を負圧にすることができ、蓋部材により連通路の他方端を閉塞することにより、密閉空間を負圧に保持して保持体のディスクへの密着状態を維持することができる。
【００１４】
また、針状体を挿入することにより、蓋部材によって連通路の他方端を開放することができ、針状体の抜き出しにより、蓋部材によって連通路の他方端を閉塞することができる。
【００１５】
【発明の実施の形態】
この発明の一実施形態について図１ないし図３を参照して説明する。但し、図１は断面図、図２は一部の底面側から見た斜視図、図３は動作説明図である。
【００１６】
本実施形態におけるディスクのクランプ装置は、図１及び図２に示すように構成されている。即ち、ディスクホルダ１と、ディスクモータ３により回転されるターンテーブル５との間に、ＣＤ等のディスク７をターンテーブル５に接触した状態で挟持するものである。このターンテーブル５は、特に図１に示されるように、円盤状の基部５ａと、ディスク７のセンターホールに着脱自在に嵌挿するセンターボス５ｂとを備え、少なくともセンターボス５ｂ部分が金属により形成されている。
【００１７】
ディスクホルダ１は、再生装置本体内のターンテーブル５の上方に上下動自在に配設され、ディスク７とほぼ同径のディスク７に対向する下面が平坦な保持体１１を備えている。この保持体１１の周面には爪６ａ（または、爪に代えて鍔でもよい）が形成され、ディスク７のローディング・アンローディング時に上下動する再生装置本体側の突起６ｂに爪６ａが係合、離間することで、ディスクホルダ１が上下動し、特にローディング時にディスクホルダ１が下動してディスクホルダ１とターンテーブル５との間にディスク７が挟持されるようになっている。
【００１８】
ここで、保持体１１には、例えば金属、樹脂のほかセラミックを用いるのが望ましく、ディスク７よりも重くかつ硬く、より詳細には、後述するようにこの保持体１１にディスク７を吸着して回転したときに、保持体１１の平坦面に密着させることで面ぶれを抑制し、保持体１１の均一な質量で偏重心を抑制できる程度の重さと硬さを有する材料を選択すればよい。加えて、ディスク７の下面の平坦性が確保されるように加工できるものであればよい。
【００１９】
そして、この保持体１１の下面には、特に図２に示されるように、その外周縁に沿ってゴムから成る可撓性を有する大径リング状の外側閉塞部材１２ａが取り付けられると共に、ディスク７のクランピングエリアの少し外側に相当する位置に、ゴム等から成る可撓性を有する小径リング状の内側閉塞部材１２ｂが取り付けられている。このような両閉塞部材１２ａ，１２ｂがディスク７に接触した時において、ディスク７と保持体１１との間に密閉空間９が形成されるようになっている。
【００２０】
更に、保持体１１の下面中央部に形成された凹部１３には、複数個のマグネット１４が埋設されており、これらのマグネット１４にターンテーブル５のセンターボス５ｂの上面が磁気吸着され、ディスクホルダ１とターンテーブル５との間にディスク７が挟持されてディスク７のターンテーブル５との接触状態が保持され、ディスク７及びディスクホルダ１がターンテーブル６と一体となって回転駆動される。なお、マグネット１４はリング状のものを１個設けても構わない。更に、凹部１３は特に無くてもよく、保持体１１を金属により構成する場合には、マグネット１４はターンテーブル５のセンターボス５ｂの上面に埋設してもよく、この場合にはターンテーブル５の基部５ａ及びセンターボス５ｂを樹脂の一体成型により簡単に形成することができる。
【００２１】
また、保持体１１には、特に図１に示されるように連通路１６が形成されており、この連通路１６の一方端である下方端１６ａが、保持体１１の下面側の複数箇所で開口して密閉空間９の内側に連通すると共に、連通路１６の他方端である上方端１６ｂが、保持体１１の内部に上面側中心で開口して密閉空間９の外側に連通している。この連通路１６は、保持体１１の上面中心から下面側に向かって複数に枝分かれして形成されており、例えば保持体１１を分割構造にし、各分割体に連通路１６に対応する溝を予め形成しておき、各分割体を結合して保持体１１を組み立てたときに連通路１６が形成されるようにすればよい。
【００２２】
そして、保持体１１の中央部には、連通路１６に連通した断面ほぼＴ字状の収納部１７が形成され、この収納部１７内に可撓性を持って収縮可能なゴム等から成る蓋部材１８が収納され、この蓋部材１８により、連通路１６の上方端１６ｂが開閉自在に閉塞されている。ここで、連通路１６及び収納部１７内の蓋部材１８とにより、本発明における調整手段が構成され、この調整手段と両閉塞部材１２ａ，１２ｂとにより、本発明における密着手段が構成されている。
【００２３】
このとき、外部に開口した連通路１６の上方端１６ｂより、針状体２０が挿入されると、針状体２０により蓋部材１８が圧迫され、連通路１６の上方端１６ｂが開放されるように蓋部材１８が収縮移動し、これとは逆に、針状体２０を連通路１６の上方端１６ｂから抜き出すと、針状体２０による蓋部材１８の圧迫が解除され、連通路１６の上方端１６ｂが閉塞されるように蓋部材１８が元の状態に膨張移動する。
【００２４】
ところで、特に図３（ｂ）に示されるように、針状体２０の中心部には、針状体２０をその長尺方向にほぼ貫通する貫通路２１が形成され、針状体２０の下端部周面の複数箇所において貫通路２１の下端が開口しており、針状体２０に吸引ポンプ等が接続されて貫通路２１を介した脱気または送気が行われる。
【００２５】
より詳細には、図３（ａ）に示すように、連通路１６の上方端１６ｂに針状体２０を挿入していない状態、或いは連通路１６の上方端１６ｂから針状体２０を抜き出した状態では、上記したように、蓋部材１８は収縮しておらず、蓋部材１８により、連通路１６の上方端１６ｂが閉塞されている。
【００２６】
この状態から、図３（ｂ）に示すように、連通路１６の上方端１６ｂより針状体２０が挿入されると、針状体２０の下端により蓋部材１８が圧迫されて収縮し、針状体２０の貫通路２１の下端開口が連通路１６に連通し、連通状態の貫通路２１を介して、図３（ｂ）中の矢印のように、密閉空間９が吸引ポンプにより脱気、吸引され、密閉空間９内が負圧になって保持体１１がディスク７に密着する。
【００２７】
一方、吸引ポンプにより、連通状態の針状体２０の貫通路２１を介して連通路１６及び密閉空間９に送気されると、密閉空間９内が大気圧に戻って保持体１１とディスク７との密着状態が解放される。
【００２８】
そして、針状体２０を連通路１６の上方端１６ｂに挿入して密閉空間９内を吸引し、保持体１１をディスク７に密着させた後、針状体２０を連通路１６の上方端１６ｂから抜き出し、蓋部材１８により連通路１６の上方端１６ｂを閉塞して保持体１１のディスク７との密着状態を保持しつつ、ディスクモータ３によりターンテーブル５が回転駆動されると、平坦面を有しディスク７とほぼ同径でディスク７よりも重くかつ硬い保持体１１が、ディスク７と共にターンテーブル５と一体的に回転する。
【００２９】
従って、上記した実施形態によれば、重くて硬い保持体１１とディスク７が一体化されることになり、保持体１１の平坦面に密着させることで面ぶれを抑制し、保持体１１の均一な質量で偏重心を抑制することができ、安定したディスク７の記録再生を実現できる。
【００３０】
なお、上記した実施形態の変形例として、図４に示すように、上記した外側及び内側閉塞部材１２ａ，１２ｂに代えて、保持体１１の下面に、例えば４個のゴム等から成る可撓性を有するリング状の閉塞部材２３を取り付け、四方に枝分かれした連通路１６の下方端１６ａが保持体１１の下面における各閉塞部材２３の中心で開口するようにしてもよい。ここで、閉塞部材２３は、３個、または５個以上であってもよいが、均等に配設可能な個数にするのが望ましい。
【００３１】
また、本発明は上記した実施形態に限定されるものではなく、その趣旨を逸脱しない限りにおいて上述したもの以外に種々の変更を行うことが可能である。
【００３２】
【発明の効果】
以上のように、請求項１に記載の発明によれば、針状体を挿入することにより、蓋部材によって連通路の他方端を開放したときに、密閉空間が負圧に調整され、平坦面を有しディスクとほぼ同径でディスクよりも重くかつ硬い保持体が、ディスクに密着されてこの密着状態が維持され、保持体がディスクと共にターンテーブルと一体的に回転するため、重くて硬い保持体とディスクが一体化されることになり、保持体の平坦面に密着させることで面ぶれを抑制し、保持体の均一な質量で偏重心を抑制することができ、安定したディスクの記録再生を実現することが可能になる。
【００３３】
また、平坦面を有しディスクとほぼ同径でディスクよりも重くかつ硬い保持体が、密着手段によりディスクに密着され、この密着状態が維持されつつ保持体がディスクと共にターンテーブルと一体的に回転するため、重くて硬い保持体とディスクが一体化されることになり、保持体の平坦面に密着させることで面ぶれを抑制し、保持体の均一な質量で偏重心を抑制することが可能になる。
【００３４】
また、調整手段により密閉空間を負圧にするため、保持体をディスクに容易に密着させることが可能になる。
【００３５】
また、蓋部材により連通路の他方端を開閉できるため、蓋部材により連通路の他方端を開放したときに密閉空間を負圧にすることができ、蓋部材により連通路の他方端を閉塞することにより、密閉空間を負圧に保持して保持体のディスクへの密着状態を維持することが可能になる。
【００３６】
また、針状体を挿入することにより、蓋部材によって連通路の他方端を開放することができ、針状体の抜き出しにより、蓋部材によって連通路の他方端を閉塞することが可能になる。
【図面の簡単な説明】
【図１】  この発明の一実施形態の断面図である。
【図２】  この発明の一実施形態における一部の底面側から見た斜視図である。
【図３】  この発明の一実施形態の動作説明図である。
【図４】  この発明の一実施形態の変形例の一部の底面図である。
【符号の説明】
１  ディスクホルダ
３  ディスクモータ
５  ターンテーブル
７  ディスク
９  密閉空間
１１  保持体
１２ａ，１２ｂ  外側、内側閉塞部材
１６  連通路（調整手段）
１６ａ  下方端
１６ｂ  上方端
１８  蓋部材（調整手段）
２０  針状体
【図１】
0003685257.tif 000002
【図２】
0003685257.tif 000003
【図３】
0003685257.tif 000004
【図４】
0003685257.tif 000005